(57)【要約】【課題】状態変化を記録し続ける状態変化記録装置を提供する。【解決手段】  カード発行装置は、状態変化記録装置等の情報処理装置である。通常動作時電源は、接続された各ユニットへ通常動作時に供給する。状態変化記録装置１０は、通常動作時電源がオフの状態でも特定の操作による状態変化を記録する。状態変化記録部２００は、通常動作時電源のオン又はオフを制御する。状態変化検出部２０１は、センサ４３による特定の操作を検出する。比較部２０２は、センサ４３による特定の操作の検出時の状態と、前の検出時の状態とを比較して状態変化を判断する。記憶部は、比較部２０２により判断された状態変化を記録する。【選択図】図２
2018055572.tif 000002
【特許請求の範囲】
【請求項１】
接続された各ユニットへ通常動作時に供給される通常動作時電源と、
前記通常動作時電源がオフの状態でも特定の操作による状態変化を記録する状態変化記録部とを備え、
前記状態変化記録部は、
前記通常動作時電源のオン又はオフを制御する電源制御部と、
前記特定の操作を検出する検出部と、
前記検出部による前記特定の操作の検出時の状態と、前の検出時の状態とを比較して前記状態変化を判断する比較部と、
前記比較部により判断された前記状態変化を記録する記憶部とを含む
ことを特徴とする状態変化記録装置。
【請求項２】
前記検出部は、カード媒体を積層するホッパの操作を検出し、
前記比較部は、特定間隔で比較を行う
ことを特徴とする請求項１に記載の状態変化記録装置。
【請求項３】
前記通常動作時電源がオフからオンになった際に、前記状態変化記録部による前記状態変化の記録を停止させ、前記記憶部から前記状態変化を取得してログデータとして上位装置へ送信する状態変化送信部を更に備える
ことを特徴とする請求項１又は２に記載の状態変化記録装置。
【請求項４】
前記状態変化送信部は、
前記上位装置からのコマンドを受信した場合、前記通常動作時電源がオフの状態でも前記ログデータを送信する
ことを特徴とする請求項３に記載の状態変化記録装置。
【請求項５】
状態変化記録装置により実行される状態変化記録方法であって、
接続された各ユニットへ通常動作時に通常動作時電源を供給し、
前記通常動作時電源がオフの状態でも特定の操作による状態変化を状態変化記録部により記録し、
前記状態変化記録部は、
前記通常動作時電源のオン又はオフを制御し、
前記特定の操作を検出し、
前記特定の操作の検出時の状態と、前の検出時の状態とを比較して前記状態変化を判断し、
判断された前記状態変化を記録する
ことを特徴とする状態変化記録方法。
【発明の詳細な説明】
【技術分野】
【０００１】
本発明は、状態変化記録装置及び状態変化記録方法に係り、特にカード発行装置等の状態変化記録装置及び状態変化記録方法に関する。
【背景技術】
【０００２】
従来、エラーログを取得するためのエラーログ取得装置が知られている（たとえば、特許文献１参照）。特許文献１に記載のエラーログ取得装置は、上位装置とこれに制御されるカード発行装置におけるエラーログを取得するものである。そして、カード発行装置は、上位装置からカード発行装置への上位コマンドに対するレスポンス異常により取得したエラーログおよびカード発行装置の内部リトライ時の異常により取得したエラーログを順次格納するメモリを備える。
【先行技術文献】
【特許文献】
【０００３】
【特許文献１】特開２００４−３３４２７０号公報
【発明の概要】
【発明が解決しようとする課題】
【０００４】
しかしながら、特許文献１に示すエラーログ取得装置は、主電源をオフにすると装置内全ての装置の電源がオフとなる構成となっている。このため、このエラーログ取得装置では、電源をオフにしている状態で装置が操作された際に、その状況がわからないという問題があった。たとえば、電源をオフにした状態では、装置の蓋を開閉する等の操作された場合の状態変化が検出できなかった。
【０００５】
そこで、本発明の課題は、このような状況に鑑みてなされたものであり、主電源がオフであっても状態変化を記録することが可能な状態変化記録装置を提供することである。また、主電源がオフであっても状態変化を記録することが可能な状態変化記録方法を提供することである。
【課題を解決するための手段】
【０００６】
本発明の状態変化記録装置は、接続された各ユニットへ通常動作時に供給される通常動作時電源と、前記通常動作時電源がオフの状態でも特定の操作による状態変化を記録する状態変化記録部とを備え、前記状態変化記録部は、前記通常動作時電源のオン又はオフを制御する電源制御部と、前記特定の操作を検出する検出部と、前記検出部による前記特定の操作の検出時の状態と、前の検出時の状態とを比較して前記状態変化を判断する比較部と、前記比較部により判断された前記状態変化を記録する記憶部とを含むことを特徴とする。
このように構成することで、通常動作時電源がオフであっても検出部の状態変化を記録することができる。
【０００７】
本発明の状態変化記録装置は、前記検出部は、カード媒体を積層するホッパの操作を検出し、前記比較部は、特定間隔で比較を行うことを特徴とする。
このように構成することで、不正に内部のカードを抜き出した形跡がないかを確認することができる。
【０００８】
本発明の状態変化記録装置は、前記通常動作時電源がオフからオンになった際に、前記状態変化記録部による前記状態変化の記録を停止させ、前記記憶部から前記状態変化を取得してログデータとして上位装置へ送信する状態変化送信部を更に備えることを特徴とする。
このように構成することで、上位装置により必要なタイミングでログを取得して管理することができる。
【０００９】
本発明の状態変化記録装置は、前記状態変化送信部は、前記上位装置からのコマンドを受信した場合、前記通常動作時電源がオフの状態でも前記ログデータを送信することを特徴とする。
このように構成することで、通常動作時電源オフ中でも、適切なタイミングでログを取得することが可能となる。
【００１０】
本発明の状態変化記録方法は、状態変化記録装置により実行される状態変化記録方法であって、接続された各ユニットへ通常動作時に通常動作時電源を供給し、前記通常動作時電源がオフの状態でも特定の操作による状態変化を状態変化記録部により記録し、前記状態変化記録部は、前記通常動作時電源のオン又はオフを制御し、前記特定の操作を検出し、前記特定の操作の検出時の状態と、前の検出時の状態とを比較して前記状態変化を判断し、判断された前記状態変化を記録することを特徴とする。
このように構成することで、通常動作時電源がオフであっても検出部の状態変化を記録することができる。
【発明の効果】
【００１１】
本発明によれば、通常動作時電源がオフの状態でも特定の操作による状態変化を記録する状態変化記録部により、特定の操作の検出時の状態と、前の検出時の状態とを比較して状態変化を判断して記録することで、主電源がオフであっても状態変化を記録することが可能な状態変化記録装置を提供することができる。
本発明によれば、たとえば、カード発行装置の運用時間外における（セキュリティ性）防犯性の向上を図ることが可能となる。
【図面の簡単な説明】
【００１２】
【図１】本発明の実施の形態に係るカード発行装置のシステム構成を示すブロック図である。
【図２】本発明の実施の形態に係るカード発行装置の制御構成を示すブロック図である。
【図３】本発明の実施の形態に係る状態変化記録処理のフローチャートである。
【発明を実施するための形態】
【００１３】
以下、図面を参照しながら、本発明の実施の形態を説明する。
【００１４】
（カード発行装置１の概略構成）
図１は、カード発行装置１の状態変化記録装置１０を含む概略構成を示すブロック図である。
【００１５】
図１によると、カード発行装置１は、上位装置３に制御される情報処理装置であり、カード２（図２）を保持して、発行する装置である。
カード発行装置１は、ユーザによるカード収納装置４０のホッパ４１（図２）開閉等の特定の操作による状態変化を記録することも可能である。
【００１６】
カード２は、たとえば、厚さが０．７〜０．８ｍｍ程度の矩形状の塩化ビニール製のカード２である。このカード２には、例えば、磁気データが記録される磁気ストライプが形成されている。また、カード２には、例えば、ＩＣチップが固定されたり、データ通信用のアンテナが内蔵されている。また、カード発行装置１で処理されるカード２は、厚さが０．１８〜０．３６ｍｍ程度のＰＥＴ（ポリエチレンテレフタレート）カード２であってもよいし、所定の厚さの紙カード２等であってもよい。
【００１７】
上位装置３は、例えば、ＡＴＭ等の本体に内蔵された組み込みＰＣ（Embedded Personal Computer）、ＦＣ（Factory Computer）、サーバ等である。
本実施形態において、上位装置３は、カード発行装置１を制御する。また、上位装置３は、通常動作時に、カード発行装置１から後述するようにログデータを取得し、カード発行装置１の状態変化を監視する。
【００１８】
また、カード発行装置１は、カードリーダ２０、電源制御装置３０、カード収納装置４０、カードプリンタ５０、カード搬送装置６０、カード回収装置７０、サブ電源スイッチ８０、主電源スイッチ９０、及び制御部１００を備えている。
【００１９】
カードリーダ２０は、ホッパ４１（図２）から搬出されたカード２に情報を読み取り書き込むカード２用のカードリーダ・ライタである。
また、カードリーダ２０は、カードプリンタ５０で印字後、カード２に記録された情報の読取及び／又はカードへの情報の記録を行い、処理後のカード２を排出してもよい。なお、カードリーダ２０で、カード２に記録された情報の読取やカード２への情報の記録を行った後に、カードプリンタ５０でカードの印字が行われてもよい。
【００２０】
また、カードリーダ２０は、制御部１００とは別に、カードリーダ２０自体を制御する制御系の回路を有する。この制御系の回路は、ＣＰＵ（Central Processing Unit）、ＲＡＭ（Random Access Memory）、ＲＯＭ（Read Only Memory）等で構成されている。本実施形態において、ＲＡＭは、バッテリーバックアップ機能付きＲＡＭも含む。また、本実施形態において、ＲＯＭは、ＥＥＰＲＯＭ（Electrically Erasable and Programmable Read Only Memory）やフラッシュメモリ等の書き込み可能な不揮発性メモリも含む。
また、カードリーダ２０は、カード２を駆動する駆動系の回路も有している。これらの回路への電源供給の構成については、後述する。
なお、カードリーダ２０が、カードプリンタ５０を内蔵するような構成であってもよい。
【００２１】
電源制御装置３０は、電源切換部３１に信号を送信することで、通常動作時電源である２４Ｖ電源のオン又はオフ、すなわち電源の投入及び遮断を制御する電源制御部である。
また、電源制御装置３０は、複数の直流（ＤＣ）電源の回路を含む。電源制御装置３０は、例えば、＋５Ｖ電圧を供給する５Ｖ系電源回路と、＋２４Ｖ電圧を供給する２４Ｖ系電源回路とを備えている。
本実施形態において、５Ｖ系電源回路は、状態変化記録装置１０へ５Ｖ電圧の電流を供給する。また、２４Ｖ系電源回路は、負荷駆動部１１（駆動系）へ２４Ｖ電圧の電流を供給する。
【００２２】
また、電源制御装置３０は、上述のように、電源切換部３１が設けられている。
電源切換部３１は、電子的な制御により、通常動作時電源をオン又はオフに切り換えるリレーや電子スイッチ等である。つまり、電源制御装置３０は、各部（各ユニット）に電源を供給し、電源のオン、オフを切り換える電源制御手段として機能する。
電源切換部３１により、カード発行装置１を省エネルギーモードに移行させる制御をすることが可能である。また、省エネルギーモードにある場合に、電源切換部３１により、通常動作のモードに戻す制御をすることも可能である。
【００２３】
カード収納装置４０は、複数のカード２が積層されて収納され、外部へ送り出す機構や切り換えを行う装置である。
また、カード収納装置４０も、カードリーダ２０と同様に、制御系の回路と駆動系の回路とを有している。この制御系の回路も、ＣＰＵ、ＲＡＭ、ＲＯＭ等で構成されている。
【００２４】
カードプリンタ５０は、カード２に所定情報を印字するカード２用のプリンタである。カードプリンタ５０は、例えば、インクリボンと、インクリボンに塗布されたインクを加熱してカードへ転写するサーマルヘッドとを備えるサーマルプリンタとして構成される。また、カードプリンタ５０は、カード搬送装置６０から受け取ったカードに印字を行った後、印字後のカードをカードリーダ２０に向かって排出する。
また、カードプリンタ５０も、制御系の回路と駆動系の回路とを有している。この制御系の回路も、ＣＰＵ、ＲＡＭ、ＲＯＭ等で構成されている。
【００２５】
また、カードプリンタ５０は、ホッパ切換部４４（図２）から受け取り、カード搬送装置６０により搬送されたカード２に印刷を行った後、印刷後のカード２をカードリーダ２０の図示しない磁気ヘッドやＩＣ接点等に向かって搬送してもよい。この場合、カードリーダ２０は、印刷後に、当該磁気ヘッドやＩＣ接点等によりカード２に記録された情報の読み取りや書き込みを行い、その後、カード２を排出してもよい。
なお、カードリーダ２０で、カード２に記録された情報の読み取りや書き込みを行った後に、カードプリンタ５０でカード２の印刷が行われてもよい
【００２６】
カード搬送装置６０は、５個のホッパ４１（図２）のいずれかから排出されるカード２を受け取って、カードプリンタ５０へ搬送する。また、カード搬送装置６０は、カードプリンタ５０で印字されたカード２をカードリーダ２０へ搬送する。
また、カード搬送装置６０も、制御系の回路と駆動系の回路とを有している。この制御系の回路も、ＣＰＵ、ＲＡＭ、ＲＯＭ等で構成されている。
【００２７】
カード回収装置７０は、使用後のカードが回収されるカード回収庫を含む装置である。
また、カード回収装置７０も、制御系の回路と駆動系の回路とを有している。この制御系の回路も、ＣＰＵ、ＲＡＭ、ＲＯＭ等で構成されている。
【００２８】
サブ電源スイッチ８０は、後述する通常動作時の２４Ｖ電源をオン、オフ制御するためのスイッチである。本実施形態においては、サブ電源スイッチ８０は、例えば、単に電気的なオンオフを検知するためのスイッチとして構成される。このため、サブ電源スイッチ８０は、プッシュスイッチのように一時的に導通するスイッチであっても、導通か非導通かの状態を維持可能なスイッチであってもよい。
【００２９】
主電源スイッチ９０は、後述する５Ｖ電源、２４Ｖ電源をオン、オフする物理的なスイッチ等である。
【００３０】
（制御部１００の構成）
制御部１００は、装置全体を制御するメモリ内蔵ＣＰＵ等である。
また、制御部１００は、ＣＰＵ１０１、記憶部１０２、時計部１０３、及び通信部１０４を備えている。
【００３１】
ＣＰＵ１０１は、各種のソフトウェアが実行され、各部（各ユニット）の情報のやり取りが正しく行なわれているか監視したり、又は、各部の動作開始や停止のタイミングを指示したりする等の処理により、自装置全体の流れを制御する。また、ＣＰＵ１０１は、通信部１０４による各部と上位装置３との間の通信の制御も行う。この際、ＣＰＵ１０１は、上位装置３との通信を監視することも可能である。
【００３２】
記憶部１０２は、ＲＡＭ、ＲＯＭ等の一時的でない記録媒体である。
記憶部１０２は、ＣＰＵが各処理を実行するためのプログラムやデータを記憶する。
また、記憶部１０２は、利用者との取引情報や、運用時間外の監視情報（詳細については後述する）についても記録する。
【００３３】
また、記憶部１０２のＲＯＭは、例えば、制御プログラム等が格納されている読み出し専用メモリであってもよい。
また、記憶部１０２のＲＡＭは、ＣＰＵがプログラムを実行するための作業領域を備えるランダムアクセスメモリであってもよい。
また、記憶部１０２のＲＯＭ又はＲＡＭのいずれかに、状態変化のデータや、上述のログデータ等が格納されていてもよい。この場合、本実施形態においては、５Ｖ電源がオフになっていても、不揮発性のメモリ又はバッテリーバックアップメモリ等により、ログデータが消滅しないように格納されることが好適である。
なお、記憶部１０２は、ＣＰＵに内蔵されていなくてもよく、又、例えば、ハードディスクや、フラッシュメモリ、光ディスク等の別の記録媒体を含んでいてもよい。
【００３４】
時計部１０３は、水晶振動子等を用いたリアルタイムタイマ等の時計（図示せず）である。時計部１０３は、現在の年月日時分秒を測定することが可能である。
また、時計部１０３は、制御部１００による各処理の実行時や、記録部に対する情報の記録時などに用いる。
なお、時計部１０３は、制御部１００の外部に接続されていてもよい。
【００３５】
通信部１０４は、上位装置３とのデータ送受信を行う通信Ｉ／Ｆ（interface）等である。
【００３６】
〔カード発行装置１の電源制御の構成〕
カード発行装置１は、例えば、電源（電源系統）を５Ｖ電源と２４Ｖ電源との二つの系統に分けて、各部に電圧の異なる電源をそれぞれ供給する。
本実施形態においては、上述したように、電源制御装置３０から、状態変化記録装置１０へ＋５Ｖの電圧が供給され、負荷駆動部１１へ＋２４Ｖの電圧が供給される。すなわち、本実施形態では、電源制御装置３０により、状態変化記録装置１０への給電と負荷駆動部１１への給電とはそれぞれ異なるＤＣ電源回路によって行われる。
【００３７】
具体的には、状態変化記録装置１０は、電源制御装置３０の５Ｖ系電源回路からの＋５Ｖ電源で駆動される回路群である。状態変化記録装置１０は、制御部１００を含む各部の制御系、状態検出系の各回路を含んでいる。上述したように、５Ｖ電源は、カード発行装置１の運用状態に拘わらず常時給電されている。すなわち、状態変化記録装置１０は、主電源スイッチ９０がオフになっていなければ、常に給電され、動作している。
【００３８】
また、状態変化記録装置１０は、ユーザによるホッパ４１（図２）の開閉等の特定の操作による装置の状態変化を記録する。具体的には、状態変化記録装置１０は、制御部１００、後述するセンサ４３（図２）等の制御系回路等であり、５Ｖ電源により、動作される。また、状態変化記録装置１０は、制御部１００が各ユニットとの通信する際の回路等も含む。すなわち、本実施形態において、状態変化記録装置１０は、通常動作時電源（２４Ｖ電源）がオフの状態でも特定の操作による状態変化を記録する。このため、５Ｖ電源が状態変化記録装置１０の動作用の電源として供給される。
【００３９】
また、状態変化記録装置１０は、カード発行装置１の運用に際して、その運用状況のうち、特に状態変化のデータをログデータとして、制御部１００の記憶部１０２等に記録し、後述するように上位装置３に送信する。
このログデータは、カード発行装置１の種々の運用状況を表すために、その発生時刻と発生事象を記録するためのデータである。本実施形態においては、ログデータとして、状態変化が生じたセンサ４３（図２）のＩＤ（Identification）と具体的な状態変化の種類のデータとを含んでいてもよい。
上位装置３は、ログデータを解析し、例えば、ある事象として障害の発生があった場合は、その発生時刻および障害内容を含む一つの履歴（記録）をログファイルとして生成する。このログファイルは、障害原因の分析時にソフトウェアの動作の詳細を確認するため等に用いられる。
【００４０】
一方、負荷駆動部１１は、電源制御部としての電源制御装置３０の２４Ｖ系電源回路からの＋２４Ｖ電源で駆動される回路群である。負荷駆動部１１は、カード排出や搬送を行う駆動系、各装置を駆動するための駆動源であるモータ等を含む。すなわち、負荷駆動部１１は、カードリーダ２０等の各部（各ユニット）、その他のユニットの駆動機構のモータ等である。よって、２４Ｖ電源は、この負荷駆動部１１を駆動させる通常動作時電源となる。この２４Ｖ電源は、カード発行装置１の運用状態によって給電を個別に停止可能である。すなわち、本実施形態においては、２４Ｖ電源が停止された等の状態が省エネルギーモードである。この省エネルギーモードになった場合、負荷駆動部１１の対応する駆動系は、停止されている。これらの制御は、上述のように電源制御装置の電源切換部３１により行われる。
【００４１】
また、カード発行装置１は、上述のように、主電源スイッチ９０とサブ電源スイッチ８０とを備えている。上述のように、主電源スイッチ９０は、２４Ｖ電源及び５Ｖ電源の両方のオン、オフを行う。サブ電源スイッチ８０は、２４Ｖ電源のみのオン、オフを行い、５Ｖ電源に接続された回路は全てオンのままにする。
すなわち、主電源スイッチ９０は、カード発行装置１の主電源をオン、オフするためのスイッチである。主電源スイッチ９０がオンにされると、各部の電源が活性化されて各部が使用可能な状態となる。つまり、ユーザは、主電源スイッチ９０をオンにすることでカード発行装置１を起動することが可能である。また、ユーザは、主電源スイッチ９０をオフにすることでカード発行装置１への商用電源からの電力供給をオフにして、その動作を停止させることが可能である。
また、通常運用時は、主電源スイッチ９０は、常にオンのままである。この上で、サブ電源スイッチ８０及び電源制御装置３０により、負荷駆動部１１の２４Ｖ電源のオン、オフが制御される。
なお、上位装置３は、主電源スイッチ９０と連動してオン、オフに制御されていても、別途、上位装置３用の電源スイッチや電源回路が備えられていてもよい。
【００４２】
〔カード発行装置１の制御構成〕
次に、図２により、本発明の実施の形態に係るカード発行装置１の制御構成について説明する。
【００４３】
（カード収納装置４０の構成）
カード収納装置４０は、複数のカード２が積層されて収納されるホッパ４１（カード収納部）と、ホッパ４１に収納されたカード２をホッパ４１の外部へ送り出すカード送出機構４２と、対応するホッパ４１の状態の変化を検出するセンサ４３とを複数組備えている。この上で、カード収納装置４０は、ホッパ４１を切り換えるホッパ切換部４４を備えている。
具体的には、本実施形態では、カード収納装置４０は、５個のホッパ４１、カード送出機構４２、及びセンサ４３の組を備えている。
なお、以下では、５個のホッパ４１を個別に表す場合には、それぞれ、ホッパ４１ａ、４１ｂ、４１ｃ、４１ｄ、４１eのように表記する。また、カード送出機構４２についても、それぞれ、カード送出機構４２ａ、４２ｂ、４２ｃ、４２ｄ、４２ｅのように表記する。また、センサ４３についても、それぞれ、センサ４３ａ、４３ｂ、４３ｃ、４３ｄ、４３ｅのように表記する。
【００４４】
ホッパ４１は、未使用のカード２を収納（収容）するカード収納部を有するホッパである。それぞれのホッパ４１には、異なる種類又は同じ種類のカード２が積層されて収納されている。また、それぞれのホッパ４１には、例えば、種類が別々の未発行のカード２が複数蓄積されていてもよい。
【００４５】
カード送出機構４２は、対応するホッパ４１のカード２を、ホッパ切換部４４及びカード回収装置７０へ送出する機構である。
【００４６】
センサ４３は、本実施形態においては、カード２媒体を積層するホッパ４１の開閉等の特定の操作を検出する検出部である。センサ４３は、例えば、物理的なスイッチ、赤外線センサ、レーザーセンサ、超音波センサ等であってもよい。また、各ホッパ４１に開閉可能なカバーまたは蓋をそれぞれ設けてもよく、この場合、各カバーまたは蓋を開閉したことを検知するセンサを設けてもよい。センサからの信号を検出することで、どのホッパ４１からがカードを取り出しか等を監視することも可能である。
【００４７】
ホッパ切換部４４は、複数のホッパ４１を切り換えて、ホッパ４１から未発行のカード２をカードリーダ２０等の各部（各ユニット）に搬送する機構である。ホッパ切換部４４は、ホッパ４１のいずれかから排出されるカード２を受け取って、カード搬送装置６０によりカードリーダ２０等へ搬送する。
【００４８】
（状態変化記録部２００の構成）
図２により、具体的に説明すると、状態変化記録装置１０の制御部１００は、状態変化記録部２００を備えている。状態変化記録部２００は、状態変化検出部２０１（検出部）、比較部２０２、及び状態変化送信部２０３を備えている。
【００４９】
状態変化検出部２０１は、各ホッパ４１の監視用のセンサ４３の状態を読み込み、特定の操作を検出する。すなわち、状態変化検出部２０１は、監視対象の各部（各ユニット）の状態変化を検出する。
【００５０】
比較部２０２は、状態変化検出部２０１による特定の操作の検出時の状態と、前の検出時の状態とを比較して状態変化を判断する。比較部２０２は、この状態変化を状態変化送信部２０３へ送信する。
比較部２０２は、状態収集装置から通知される各監視対象の各センサ４３の最新の状態値と記憶状態値を比較して状態変化があったことを識別する。具体的に、比較部２０２は、例えば、記憶部１０２から読み込んだ前回の状態の値と、各センサ４３の最新の状態値とを比較し、状態変化を検出した場合に、当該センサ４３に対応するＩＤと具体的な状態変化の種類とを、状態変化のデータとして状態変化送信部２０３に送信する。
【００５１】
状態変化送信部２０３は、比較部２０２による状態変化のデータを取得して、制御部１００の記憶部１０２に、状態変化のデータを履歴情報（ログ情報）、すなわちログデータとして格納する。このログデータは、上述のように、監視用のセンサ４３のＩＤと具体的な状態変化の種類のデータとを含んでいてもよい。
【００５２】
また、状態変化送信部２０３は、ログデータを上位装置３へ送信することも可能である。この際、状態変化送信部２０３は、上位装置３からのコマンドを受信した場合、通常動作時電源がオフの状態でも、ログデータを送信する。この場合、上位装置３は、状態変化のデータをログデータとして受け取る。このログデータは、障害や動作異常の分析時、ソフトウェアの動作の詳細な分析時等に使用可能である。
なお、比較部２０２が直接、制御部１００の記憶部１０２に状態変化を記録してもよい。
【００５３】
また、制御部１００は、記憶部１０２のＲＯＭ内に格納された制御プログラムをＲＡＭに展開して実行することで、状態変化記録部として機能させることが可能である。
【００５４】
〔状態変化記録処理〕
次に、図３により、本発明の実施の形態に係る状態変化記録処理の説明を行う。
本実施形態の状態変化記録処理では、サブ電源スイッチ８０の状態を監視し、サブ電源スイッチ８０がオフ状態になったことを検出すると、通常動作時電源をオフにする。この上で、状態変化記録装置１０により、特定期間の間隔で状態変化の記録を続ける。具体的には、ホッパ４１部のセンサ４３の状態を記憶しておき、前回確認したセンサ４３の状態と、直近で確認したセンサ４３の状態とを比較する。ここで、センサ４３の状態に差異が検出された場合、センサ４３の状態のデータを記憶部１０２に書き込む。そして、サブ電源スイッチ８０が再度オンになったことを検出すると、センサ４３の監視を停止し、通常動作時電源（２４Ｖ電源）をオンにする。その後、上位装置３にてログデータを読み出し、上位装置３にて保存する。
本実施形態の状態変化記録処理は、主に制御部１００の状態変化記録部２００が、記憶部１０２等に記憶された制御プログラムを、各部と協働し、ハードウェア資源を用いて実行する。
以下で、図３のフローチャートにより、本実施形態の状態変化記録処理をステップ毎に説明する。
【００５５】
（ステップＳ１）
まず、状態変化記録部２００が、サブ電源スイッチ８０がオフにされたか否かを判断する。状態変化記録部２００は、ユーザによりサブ電源スイッチ８０がオフにされたことを検出した場合に、Ｙｅｓと判定する。状態変化記録部２００は、それ以外の場合には、Ｎｏと判定する。
Ｙｅｓの場合、状態変化記録部２００は、処理をステップＳ２に進める。
Ｎｏの場合、状態変化記録部２００は、サブ電源スイッチ８０がオフにされるまでそのまま待機する。すなわち、本実施形態では、サブ電源スイッチ８０がオフになっていない状態では、センサ４３の状態変化の記録を行わなくてもよい。
【００５６】
（ステップＳ２）
サブ電源スイッチ８０がオフにされた場合、状態変化記録部２００が、通常動作時駆動部オフ処理を行う。
状態変化記録部２００は、電源切換部３１に信号を送信して通常動作時電源をオフに制御する。これにより、状態変化記録部２００は、負荷駆動部１１の各ユニットの動作を停止させる。
【００５７】
（ステップＳ３）
次に、比較部２０２が、センサ状態確認処理を行う。
比較部２０２は、センサ４３の現在の状態を確認する。すなわち、比較部２０２は、センサ４３により検出されたホッパ４１の開閉等の特定の操作が行われているか否かについてのセンサ４３の状態の情報を取得する。
【００５８】
（ステップＳ４）
次に、比較部２０２が、状態書き込み処理を行う。
比較部２０２は、記憶部１０２に、取得した現在のセンサ４３の状態を記録する。具体的には、比較部２０２は、記憶部１０２にログとして送信されるファイルを作成し、現在のセンサ４３の状態の情報を、リアルタイムクロック等から取得した現在の時間と供に、特定のフォーマットにてログデータとして書き込む。
【００５９】
（ステップＳ５）
次に、状態変化記録部２００が、サブ電源スイッチ８０がオンになったか否かを判定する。状態変化記録部２００は、例えば、ユーザによりサブ電源スイッチ８０がタッチされたり導通されたりしたことを検出した場合に、サブ電源スイッチ８０がオンになったとして、Ｙｅｓと判定する。状態変化記録部２００は、それ以外の場合、すなわちサブ電源スイッチ８０がオンになっていなかった場合には、Ｎｏと判定する。
Ｙｅｓの場合、状態変化記録部２００は、処理をステップＳ１２に進める。
Ｎｏの場合、状態変化記録部２００は、処理をステップＳ６に進める。
【００６０】
（ステップＳ６）
サブ電源スイッチ８０がオンになっていなかった場合、比較部２０２が、センサ４３の状態確認処理を行う。
この処理は、ステップＳ３と同様に行い、現在のセンサ４３の状態の情報を取得する。
【００６１】
（ステップＳ７）
次に、比較部２０２が、センサ４３の状態比較処理を行う。
比較部２０２は、センサ４３の特定の操作の検出時の状態と、前の状態とを比較する。具体的には、記憶部１０２に格納された前のセンサ４３の状態の情報と、ステップＳ１０５で取得した現在のセンサ４３の状態の情報とを比較する。
この際、比較部２０２は、数ミリ秒〜数時間程度、より具体的には数秒程度の特定間隔で比較を行ってもよい。このため、比較部２０２は、時計部１０３のリアルタイムタイマ等を用いて、この比較までの間、待機してもよい。
【００６２】
（ステップＳ８）
次に、比較部２０２が、センサ４３の状態変化があるか否かを判定する。
比較部２０２は、前のセンサ４３の状態と、現在のセンサ４３の状態とが異なっていた場合、状態変化がありとして、Ｙｅｓと判断する。前と現在とでセンサ４３の状態が同じであった場合には、Ｎｏと判断する。
Ｙｅｓの場合、比較部２０２は、処理をステップＳ９に進める。
Ｎｏの場合、比較部２０２は、処理をステップＳ１０に進める。
【００６３】
（ステップＳ９）
状態変化があった場合、比較部２０２が、状態変化書き込み処理を行う。
比較部２０２は、記憶部１０２に、センサ４３の状態変化を格納して記録させる。
この際、比較部２０２は、例えば、状態変化として、センサ４３の状態等の情報を、時計部１０３のリアルタイムクロック等から現在の時間を取得して、これと供に、ログとして送信されるファイルに追記して書き込む。
なお、記憶部１０２の容量には限りがあるため、ファイル内の古いデータから上書きしていくようにしてもよい。
【００６４】
（ステップＳ１０）
次に、状態変化送信部２０３が、ログデータ送信が指示されたか否かを判定する。
状態変化送信部２０３は、上位装置３からログデータの送信のコマンドを受信した場合、Ｙｅｓと判断する。状態変化送信部２０３は、それ以外の場合には、Ｎｏと判断する。
Ｙｅｓの場合、状態変化送信部２０３は、処理をステップＳ１１に進める。
Ｎｏの場合、状態変化送信部２０３は、処理をステップＳ５に戻して、サブ電源スイッチ８０とセンサ４３の状態の確認を続ける。
【００６５】
（ステップＳ１１）
上位装置３からログデータの送信を指示された場合、状態変化送信部２０３が、ログデータ送信処理を行う。
状態変化送信部２０３は、記憶部１０２からログデータ（状態変化のデータ）を取得して、これを上位装置３に送信する。この際に、状態変化送信部２０３は、状態変化のデータのファイルを圧縮したり、暗号化したりして、ログデータに変換して送信してもよい。
上位装置３は、ログデータを取得すると、このファイルを保存する。
なお、状態変化送信部２０３は、上位装置３以外の管理端末等にログデータを送信することも可能である。
その後、状態変化送信部２０３は、処理をステップＳ５に戻す。
【００６６】
（ステップＳ１２）
サブ電源スイッチ８０がオンになった場合、状態変化記録部２００が、通常動作時駆動部オン処理を行う。
状態変化記録部２００は、電源切換部３１に信号を送信して通常動作時電源（２４Ｖ電源）をオンに制御する。これにより、状態変化記録部２００は、負荷駆動部１１の各ユニットの動作を開始させる。
【００６７】
（ステップＳ１３）
次に、状態変化送信部２０３が、ログデータ送信処理を行う。
この処理は、ステップＳ１１と同様に行う。
以上により、本発明の実施の形態に係る状態変化記録処理を終了する。その後、状態変化送信部２０３は、ステップＳ１に処理を戻し、サブ電源スイッチ８０がオフになるまで待機してもよい。
【００６８】
〔本実施形態の主な効果〕
以上のように構成することで、以下のような効果を得ることができる。
本発明の実施の形態に係るカード発行装置１は、状態変化記録装置等の情報処理装置であって、接続された各ユニットへ通常動作時に供給される通常動作時電源で動作する負荷駆動部１１と、通常動作時電源がオフの状態でも特定の操作による状態変化を記録する状態変化記録装置１０とを備え、状態変化記録装置１０は、通常動作時電源のオン又はオフを制御する状態変化記録部２００と、センサ４３により特定の操作を検出する状態変化検出部２０１と、センサ４３による特定の操作の検出時の状態と、前の検出時の状態とを比較して状態変化を判断する比較部２０２と、比較部２０２により判断された状態変化を記録する記憶部１０２とを含む状態変化記録装置であることを特徴とする。
【００６９】
このように構成することで、負荷駆動部１１をオフにしても、状態変化記録装置１０はオンとしておくことで、制御部１００はそのまま動作可能となる。つまり、２４Ｖ電源がオフでも、状態変化記録装置１０は、そのまま使用し続けることが可能である。このため、センサ４３の状態の監視等も状態変化記録装置１０で動作可能である。すなわち、主電源スイッチ９０をオフにしても、センサ４３の状態の監視に必要な回路の５Ｖ電源はオンのまま保持されるので、通常動作時電源がオフであってもセンサ４３の状態変化を確認することが可能となる。また、図示していないものの、ホッパ４１や装置筐体（ケース）に蓋等のカバ―などを形成した場合には、カバーや蓋等の開閉の形跡がないかを確認することもできる。
そして、通常動作時電源オフ時にユニットのセンサ４３の状態を監視し、その変化を検出した際のセンサ４３の状態を装置内の記憶部１０２に書き込み保持することで、通常動作時電源オフ中のセンサ４３の状態変化のログを残すことができる。
また、顧客との取引を行わない運用時間外における防犯性を従来より更に向上させることが可能となる。また、運用時間外の消費電力を低く抑えることが可能となる。
【００７０】
また、本発明の実施の形態に係るカード発行装置１は、センサ４３は、カード２を積層するホッパ４１の操作を検出し、比較部２０２は、特定間隔で比較を行うことを特徴とする。
このように構成し、ホッパ４１への特定操作を検出することで、不正に内部のカード２を抜き出した形跡がないかを確認することが可能となる。特に、銀行では発行前のカード２の枚数管理を徹底する必要があり、運用時間外の状態を知ることができるようになる。そのため、より一層管理を徹底できるという効果が得られる。
また、数ミリ秒〜数時間程度の特定間隔でセンサ４３状態の比較を行うことで、常時比較してログを残すのに比べて記憶部１０２のメモリ容量の消費を抑え、処理に必要な消費電力も抑えることができる。
【００７１】
また、本発明の実施の形態に係るカード発行装置１は、通常動作時電源がオフからオンになった際に、状態変化記録装置１０による状態変化の記録を停止させ、記憶部１０２から状態変化を取得してログデータとして上位装置３へ送信する状態変化送信部２０３を更に備えることを特徴とする。
このように構成することで、上位装置３により必要なタイミングでログを取得して管理することができる。また、通常動作時には、カード発行装置１によらず上位装置３でセンサ４３の状態変化を管理するように構成することも可能となる。また、通常動作時にカード発行装置１でセンサ４３の比較をしないことで、カード発行装置１の制御部１００の処理負荷を軽減できる。
また、通常動作時電源がオンからオフになった際のセンサ４３の状態を確認して、これと通常動作時電源がオフ時のセンサ４３の状態とを比較することが可能となる。このため、メンテナンス等でホッパ４１のカード２のスロットが開閉されていた等の状態であっても、無駄なログデータを蓄積することがなくなる。
【００７２】
本発明の実施の形態に係るカード発行装置１は、状態変化記録部は、上位装置３からのコマンドを受信した場合、通常動作時電源がオフの状態でもログデータを送信することを特徴とする。
このように構成することで、通常動作時電源オフ中でも、上位装置３が適切なタイミングで、又は、上位装置３から定期的にログを取得することも可能となる。これにより、筐体や上位装置３に取り付けられたセンサ等やルームセキュリティシステム等の他のセキュリティ関連の装置と連携して、適切に対応することが可能となる。
【００７３】
〔他の実施の形態〕
なお、上述の実施の形態では、ホッパ４１のセンサ４３のログを記録するような構成について記載したものの、これに限られない。たとえば、ログデータに記録する内容を拡張して、ホッパ４１部のセンサ４３以外の個所のセンサ情報も記録してもよい。さらに、監視する対象のセンサを増やすことも可能である。
このように構成することで、より詳細な変化を確認することが可能となり、ユーザによる操作の種類等も推定することが可能となる。すなわち、カード２に限らず、各ユニットを手で動かしたかどうか、何か取り外したかどうか等の操作についても監視することも可能となる。
【００７４】
また、上述の実施の形態では、変化があった際のセンサ４３の状態の情報と時間とをそのままファイルに追記する例について記載した。
しかしながら、状態変化として、センサ４３の状態の変化の情報を算出し、時計部１０３のリアルタイムクロックや制御部１００の内蔵タイマ等により電源オフからの積算時間を算出して、これらの値を記憶部１０２に格納してもよい。これに限らず、ログに記録する内容を縮小、圧縮してもよい。
このように構成することで、同じ記憶部１０２の記憶容量であっても、センサ４３の状態変化の記録数を増やすことが可能になる。
【００７５】
また、上述の実施の形態では、制御部１００が状態変化記録部２００として機能する例について記載した。しかしながら、制御部１００とは別の状態変化記録部を備えるような構成であってもよい。また、各部（各ユニット）のＣＰＵ等が状態変化記録部として機能してもよい。
【００７６】
なお、上記実施の形態の構成及び動作は例であって、本発明の趣旨を逸脱しない範囲で適宜変更して実行することができることは言うまでもない。
【符号の説明】
【００７７】
１  カード発行装置
２  カード
３  上位装置
１０  状態変化記録装置
１１  負荷駆動部
２０  カードリーダ
３０  電源制御装置
３１  電源切換部
４０  カード収納装置
４１、４１ａ、４１ｂ、４１ｃ、４１ｄ、４１e  ホッパ
４２、４２ａ、４２ｂ、４２ｃ、４２ｄ、４２ｅ  カード送出機構
４３、４３ａ、４３ｂ、４３ｃ、４３ｄ、４３ｅ  センサ
４４  ホッパ切換部
５０  カードプリンタ
６０  カード搬送装置
７０  カード回収装置
８０  サブ電源スイッチ
９０  主電源スイッチ
１００  制御部
１０１  ＣＰＵ
１０２  記憶部
１０３  時計部
１０４  通信部
２００  状態変化記録部
２０１  状態変化検出部
２０２  比較部
２０３  状態変化送信部
【図１】
2018055572.tif 000003
【図２】
2018055572.tif 000004
【図３】
2018055572.tif 000005